(57)【要約】【課題】金属製のフレーム及び裏板を用いることなく、以って装置自体の軽量化及び低コスト化を実現した液晶表示装置を提供する。【解決手段】本発明の液晶表示装置１は、液晶セル１０と、その下方に配置され、かつ、導光板２１、反射板２３および光源２２等からなる照明手段２０と、液晶セル１０及び照明手段２０を支持する額縁状の枠体３０とを備え、前記液晶セル１０の一つの辺の外縁部及びそれに対向する辺の外縁部と前記照明手段２０との間に、第１の粘着材を有する第１スペーサ５０ａ、５０ｃを設け、前記液晶セル１０の他の一つの辺の外縁部及びそれに対向する辺の外縁部と前記枠体３０との間に、第２の粘着材からなる第２スペーサ５０ｂ、５０ｄを設け、これらの外縁部を一体に覆うように、前記外縁部の各辺に非金属製のカバー４０ａ〜４０ｄを取り付ける。【選択図】図１
2006235155.tif 000002
【特許請求の範囲】
【請求項１】
液晶セルと、前記液晶セルの下方に配置され、かつ、導光板、反射板及び光源等からなる照明手段と、前記液晶セル及び照明手段を支持する額縁状の枠体とを備え、前記液晶セルの一つの辺の外縁部及びそれに対向する辺の外縁部と前記照明手段との間に、第１の粘着材を有する第１スペーサを設け、前記液晶セルの他の一つの辺の外縁部及びそれに対向する辺の外縁部と前記枠体との間に、第２の粘着材からなる第２スペーサを設け、これらの外縁部を一体に覆うように、前記外縁部の各辺に非金属製のカバーを取り付けたことを特徴とする液晶表示装置。
【請求項２】
前記導光板の１端面近傍に位置する前記光源を覆い、かつ、上辺の端部が前記導光板上に配置されたリフレクタを設け、前記第１スペーサは、板状の基材及びその表裏面に設けられた粘着材からなり、１方の前記第１スペーサは、前記リフレクタの端部上に配置され、他方の前記第１スペーサは、前記１端面に対向する前記導光板の他の端面近傍の表面上に配置されたことを特徴とする請求項１に記載の液晶表示装置。
【請求項３】
前記第２スペーサは、板状の粘着材からなることを特徴とする請求項１に記載の液晶表示装置。
【請求項４】
前記液晶セルの少なくとも３辺の外縁部に取り付けられている前記非金属性のカバーは、それぞれ断面が実質的にコ字状に形成され、前記非金属性カバーの長さ方向と直交する方向の両端部はそれぞれ粘着材を介して前記液晶セルの外縁部表面及び前記枠体の裏面に固定されていることを特徴とする請求項１に記載の液晶表示装置。
【請求項５】
前記液晶セルの１辺の外縁部に取り付けられている前記非金属性のカバーは、断面が実質的にＬ字状に形成され、前記非金属性カバーの長さ方向と直交する方向の端部の一方は粘着材を介して前記液晶セルの外縁部表面に固定され、他方は粘着材を介して前記枠体の側面に固定されていることを特徴とする請求項４に記載の液晶表示装置。
【請求項６】
前記非金属性のカバーは、ポリエチレンテレフタレート、ポリイミド、ポリフェニレンスルフィド、ポリエーテルエーテルケトン、ポリエーテルケトン、ポリアセタール、ポリスチレン、ポリアミド、ポリウレタン、シリコンゴム、合成紙から選択された何れか１つからなることを特徴とする請求項１〜５の何れかに記載の液晶表示装置。
【請求項７】
前記枠体は、断面形状が実質的にＬ字状に形成され、照明手段を構成するリフレクタを載置しており、前記枠体のＬ字状の内面と前記リフレクタの外面との間に粘着材を設け、この粘着材により前記照明手段を構成する光源用のリード線を固定したことを特徴とする請求項１に記載の液晶表示装置。
【発明の詳細な説明】
【技術分野】
【０００１】
本発明は液晶表示装置に係り、特に金属製のフレーム及び裏板を用いることなく、それによって装置自体の軽量化及び低コスト化を実現した液晶表示装置に関する。
【背景技術】
【０００２】
従来の液晶表示装置は、例えば特許文献１（特許第３３３２８３０号）に開示されているように、液晶パネルと、該液晶パネルの背面に配置された液晶パネルの照明手段と、前記液晶パネルを支持し照明手段を収納する枠体と、少なくとも照明手段の一部を覆う裏板と、液晶パネルの周辺を覆うロ字状の金属フレームとから構成されている。
【特許文献１】特許第３３３２８３０号
【発明の開示】
【発明が解決しようとする課題】
【０００３】
しかしながら、特許文献１に開示されている液晶表示装置のような公知の液晶表示装置は、その構成材料として金属製の金属フレーム及び裏板が使用されることから、装置自体の重量が大きくなり、更にはコストも高くなってしまう。
【０００４】
そこで、本発明者らは金属製の金属フレーム及び裏板を用いることなく液晶表示装置を製造する方法を種々検討し、本発明に至ったものである。
【０００５】
すなわち、本発明の目的は、金属製のフレーム及び裏板を用いることなく、以って装置自体の軽量化及び低コスト化を実現した液晶表示装置を提供することにある。
【課題を解決するための手段】
【０００６】
上記目的を達成するために、本願の請求項１に記載の液晶表示装置は、液晶セルと、その下方に配置され、かつ、導光板、反射板及び光源等からなる照明手段と、前記液晶セル及び照明手段を固定する額縁状の枠体とを備え、前記液晶セルの一つの辺の外縁部及びそれに対向する辺の外縁部と前記照明手段との間に、第１の粘着材を有する第１スペーサを設け、前記液晶セルの他の一つの辺の外縁部及びそれに対向する辺の外縁部と前記枠体との間に、第２の粘着材からなる第２スペーサを設け、これらの外縁部を一体に覆うように、前記外縁部の各辺に非金属製のカバーを取り付けたことを特徴とする。
【０００７】
また、本願の請求項２に記載の発明は、請求項１に記載の液晶表示装置において、前記導光板の１端面近傍に位置する前記光源を覆い、かつ、上辺の端部が前記導光板上に配置されたリフレクタを設け、前記第１スペーサは、板状の基材及びその表裏面に設けられた粘着材からなり、１方の前記第１スペーサは、前記リフレクタの端部上に配置され、他方の前記第１スペーサは、前記１端面に対向する前記導光板の他の端面近傍の表面上に配置されたことを特徴とする。
【０００８】
また、本願の請求項３に記載の発明は、請求項１に記載の液晶表示装置において、前記第２スペーサは、板状の粘着材からなることを特徴とする。
【０００９】
また、本願の請求項４に記載の発明は、請求項１に記載の液晶表示装置において、前記液晶セルの少なくとも３辺の外縁部に取り付けられている前記非金属性のカバーは、それぞれ断面が実質的にコ字状に形成され、前記非金属性カバーの長さ方向と直交する方向の両端部はそれぞれ粘着材を介して前記液晶セルの外縁部表面及び前記枠体の裏面に固定されていることを特徴とする。
【００１０】
また、本願の請求項５に記載の発明は、請求項４に記載の液晶表示装置において、前記液晶セルの１辺の外縁部に取り付けられている前記非金属性のカバーは、断面が実質的にＬ字状に形成され、前記非金属性カバーの長さ方向と直交する方向の端部の一方は粘着材を介して前記液晶セルの外縁部表面に固定され、他方は粘着材を介して前記枠体の側面に固定されていることを特徴とする。
【００１１】
また、本願の請求項６に記載の発明は、請求項１〜５のいずれかに記載の液晶表示装置において、前記非金属性のカバーは、ポリエチレンテレフタレート、ポリイミド、ポリフェニレンスルフィド、ポリエーテルエーテルケトン、ポリエーテルケトン、ポリアセタール、ポリスチレン、ポリアミド、ポリウレタン、シリコンゴム、合成紙から選択された何れか１つからなることを特徴とする。
【００１２】
また、本願の請求項７に記載の発明は、請求項１に記載の液晶表示装置において、前記枠体は、断面形状が実質的にＬ字状に形成され、照明手段を構成するリフレクタを載置しており、前記枠体のＬ字状の内面と前記リフレクタの外面との間に粘着材を設け、この粘着材により前記照明手段を構成する光源用のリード線を固定したことを特徴とする。
【発明の効果】
【００１３】
本発明は上記構成を備えることにより、以下に示す優れた効果を奏する。すなわち、請求項１の発明によれば、液晶表示装置の構成部材である液晶セル、照明手段及び枠体が、それぞれ第１及び第２スペーサと、非金属性カバーとにより固定されているから、従来例のように金属フレーム及び裏板を用いることなく液晶表示装置を構成することができるため、装置本体の軽量化・低コスト化を実現できる。また液晶セルと照明手段及び枠体との間に、第１及び第２スペーサを設けることにより、ゴミが内部にはいることを防止することができる。加えて、この第１及び第２の粘着材を有する第１及び第２のスペーサが各部材間の緩衝材としての効果も奏する。更に、液晶セルのガラス基板の破損を抑止することができるとともに、液晶セル自体を薄くしても破損し難いため、液晶セルのガラス基板を薄くでき、液晶表示装置本体のさらなる軽量化を図ることができる。
【００１４】
また、請求項２の発明によれば、１方の第１スペーサは、導光板上に位置するリフレクタの端部上に配置され、他方の第１スペーサは、導光板の他の端面近傍の表面上に配置される。この様に、１方の第１スペーサおよび他方の第１スペーサは、各々、強固なリフレクタの端部上および導光板の表面上に配置されるので、液晶セルは導光板に対し、所定の望ましい位置が維持される。
【００１５】
また、請求項３の発明によれば、より確実に液晶セルを枠体に固定することができる。
【００１６】
また、請求項４の発明によれば、非金属性カバー自体が液晶表示装置の外枠の役目を果たすことができ、しかも必要な強度を確保することができるため、重量の重い金属材からなるカバー及び裏板を使用しなくてもすむので、液晶表示装置本体の軽量化・低コスト化を実現できる。
【００１７】
また、請求項５に記載の発明によれば、一部の非金属性カバーを枠体の裏側まで延ばさなくても必要な強度を確保できるので、コストが更に安くなる。
【００１８】
また、請求項６に記載の発明によれば、ポリエチレンテレフタレート、ポリイミド、ポリフェニレンスルフィド、ポリエーテルエーテルケトン、ポリエーテルケトン、ポリアセタール、ポリスチレン、ポリアミド、ポリウレタン、シリコンゴムなどのプラスチック及び合成紙は、比較的強度が高いものであるから、外部からの衝撃に強い液晶表示装置が得られる。
【００１９】
また、請求項７に記載の発明によれば、枠体２のL字部の内面とリフレクタの外面との間に粘着材を設けるので、リフレクタは確実に枠体に固定され、また、光源用のリード線はこの粘着材により固定されるので、リード線が遊ぶことがなくなり、液晶表示装置の組立中に他の部品に引っかかることが防止されるため、液晶表示装置の組立効率が良好となる。
【発明を実施するための最良の形態】
【００２０】
以下、図面を参照して本発明の最良の実施形態を説明する。但し、以下に示す実施形態は、本発明の技術思想を具体化するための液晶表示装置を例示するものであって、本発明をこれらに特定することを意図するものではなく、特許請求の範囲に含まれるその他の実施形態のものも等しく適応し得るものである。
【実施例】
【００２１】
図１は本発明の一実施形態に係る液晶表示装置の分解斜視図、図２は図１の液晶表示装置を組み立てた組立斜視図、図３は図２の液晶表示装置の正面図、図４は図３のＡ−Ａ断面図、図５は図３のＢ−Ｂ断面図、図６は図３のＣ−Ｃ断面図、図７は図３のＤ−Ｄ断面図である。
【００２２】
本実施例の液晶表示装置１は、図１〜図４に示すように、液晶セル１０と、バックライトユニット（照明手段）２０と、液晶セル１０及びバックライトユニット２０とを保持する額縁状の枠体３０と、これらの部材の外周囲を覆うように取り付けられるカバー４０ａ〜４０ｄとを備える。
【００２３】
液晶セル１０は、その構造としてＴＡＢ（Tape Automated Bonding）方式を採用したものであり、透明電極を備える矩形状の一対のガラス基板１３ａ、１３ｂをこの基板の外周縁の近傍に沿って塗布されるシール材により一体に貼り合わせ、その内部に液晶を封入して構成され、さらに一方のガラス基板１３ｂの任意の側部に駆動用ＩＣチップ１１ａを実装した複数のＴＣＰ（Tape Carrier Package）１１が取り付けられ、さらにこのＴＣＰ１１のいくつかの他端は制御基板１２に接続されている。
【００２４】
バックライトユニット２０は、所定の肉厚を有し、後述する光源２２が取り付けられる側壁面（１端面）２１ｃからこの側壁面２１ｃに対向する側壁面２１ａ（他の端面）に向かって、その肉厚が薄肉となるように形成された板状の導光板２１と、この導光板２１の側壁面２１ｃの近傍に取り付けられる冷陰極管等からなる光源（線状光源）２２と、導光板２１の底面に取り付けられ、光源２２から照射した光を、液晶セル１０が載置される面に与える反射板２３とから構成されている。
【００２５】
更に、照明手段（バックライトユニット）２０は、光源２２及び反射板２３を覆う実質的にコ字状の絶縁板２４と、光源２２と、光源２２のリード線２２ａの隙間に設けられ、光源２２から照射される光を導光板２１へ導出する断面が実質的にコ字状のリフレクタ２５と、この照明手段２０を固定する粘着材としての両面テープ２６ａ、２６ｃと、導光板２１上に配置され、拡散シート、プリズムシート（２７ａ、２７ｂ）等からなる複数枚（図１では２枚）の光学シート２７と、から構成されている。
【００２６】
また、前記光源２２は、その両端部にリード線２２ａが接続されており、このリード線２２ａは、図２、図３に示すように、枠体３０の一方の長辺３０ｃの端部付近から液晶表示装置１の外部に導出され、その端部には外部電源（図示省略）に接続するためのコネクタ２２ｂが取り付けられている。なお、ここでは導光板２１を１端面２１ｃから、対向する他の端面２１ａに向かって薄肉となっているものを使用したが、この形状に限定することなく、例えば肉厚が一定な方形状の導光板であってももちろん良い。
【００２７】
枠体３０は、額縁状に形成され、対向する一対の長辺３０ａ、３０ｃと、対向する一対の短辺３０ｂ、３０ｄとから構成されており、更に、その裏面に、照明手段２０の裏面に引き回されて取り付けられる制御基板１２を支持するための支持部３０ｅが短辺３０ｂ、３０ｄの中心部付近同士を繋ぐように設けられている。
【００２８】
カバー４０ａ〜４０ｄは、非金属性材料から形成されており、例えばポリエチレンテレフタレート、ポリイミド、ポリフェニレンスルフィド、ポリエーテルエーテルケトン、ポリエーテルケトン、ポリアセタール、ポリスチレン、ポリアミド、ポリウレタン、シリコンゴムなどのプラスチック及び合成紙の何れかから構成される。
【００２９】
これらのカバー４０ａ〜４０ｄは、前記液晶セル１０、照明手段２０及び枠体３０が組み立てられた後に、その組立品の外周縁を一体に固定するものである。カバー４０ａ〜４０ｄは、長手方向に直交する方向に切断した切断面が実質的にコ字状（４０ａ〜４０ｃ）あるいはＬ字状（４０ｄ）に形成されている。その長手方向の長さは前記組立品の側壁の長さに合わせて、カバー４０ａ、４０ｃは長く、カバー４０ｂ、４０ｄは短くなっている。
【００３０】
上述の各構成部品からなる液晶表示装置１の組立工程について、以下に図面を参照して説明する。
【００３１】
先ず、枠体３０の上面から照明手段２０の反射板２３、導光板２１及び光学シート２７をこの順序で載置する。このとき導光板２１及び反射板２３は枠体３０一方の長辺３０ａ及び短辺３０ｂ、３０ｄの内側に設けられた第１載置面３１ａ、３１ｂ、３１ｄ及び支持桿３０ｅ上に載置され、導光板２４の上面に光学シート２７が載置される。また、導光板２１の薄肉な他の端面２１ａ付近の底面と第１載置面３１ａとは粘着材としての両面テープ２６ａにより貼付固定されている。なお、一方の長辺３０ｃには載置面は設けられていない。
【００３２】
次に光源２２、リフレクタ２５及び絶縁板２４をこの順序で枠体３０の一方の長辺３０ｃの下面に位置するように取り付け、このとき実質的にコ字状の絶縁板２４の上面の上部と長辺３０ｃの下面とを接着する。それと共に、反射板２３の下面と絶縁板２４の下面の上部とを接着し、光源２２及びリフレクタ２５を導光板２１の一側壁面に固定する。またリフレクタ２５の上面と長辺３０ｃの下面とは、粘着材としての両面テープ２６ｃにより貼付固定されている。
【００３３】
そして、この照明手段２０と枠体３０との組立品の上面に液晶セル１０を載置する。このとき液晶セル１０は、枠体３０あるいは照明手段２０上にその下面外周部が載置し、この載置部には、後述する板状の第１、第２スペーサ５０ａ〜５０ｄが挟まれて貼付け、固定される。
【００３４】
また、この液晶セル１０の載置が行われた際には、液晶セル１０の一側面に取り付けられたＴＣＰ１１が絶縁板２４及び枠体３０の一方の長辺３０ｃに沿って、照明手段２０の裏面に引き回される。このＴＣＰ１１の他端に取り付けられた制御基板１２が、枠体３０の支持部３０ｅに固定される。
【００３５】
次に、液晶セル１０、照明手段及び枠体３０からなる組立品の外周部を、カバー４０ａ〜４０ｄにより一体に固定する。このカバー４０ａ〜４０は、その長手方向側端部に、所定幅の粘着材４１ａ〜４１ｄ、４２ａ〜４２ｄが塗布されており、カバーの一方の側端部は粘着材４１ａ〜４１ｄにより液晶セル１０に貼付固定されている。他方の側端部は粘着材４２ａ〜４２ｄにより枠体３０に貼付け、固定される。
【００３６】
上述のように組み立てられた液晶表示装置１に関し、以下においては図４〜図７に示す各側端部の構造について図面を参照して説明を行う。
【００３７】
液晶表示装置１の一方の長辺部分は、図４に示すように、その内部に光源２２が設けられている。また、この長辺部分の液晶セル１０の側部は、照明手段２０のリフレクタ２５上に載置されている。液晶セル１０の側部とリフレクタ２５の端部との間に、その上下面に粘着材５２ｃが塗布された所定の肉厚を有する板状の基材５１ｃからなる第１スペーサ５０ｃが配置されている。この第１スペーサ５０ｃにより、液晶セル１０が照明手段２０に固定されている。
【００３８】
なお、この長辺部分における枠片３０の長辺３０ｃはその高さが比較的低く、ＴＣＰ１１が照明手段２０の裏面に引き回される際に邪魔にならないようになっている。更に、この長辺３０ｃとリフレクタ２５の間に配置された粘着材としての両面テープ２６ｃに、光源２２のリード線２２ａが固定されている。また、長辺３０ｃの一方の端部には、光源２２のリード線２２ａを液晶表示装置１外部に導出するための導出口３０ｃ’（図１参照）が形成されている。そして各部材が実質的にコ字状のカバー４０ｃにより一体に固定されている。
【００３９】
このような構成とすることにより、リフレクタ２５は確実に枠体の長辺３０ｃに固定され、また、光源２２用のリード線２２ａは粘着材としての両面テープ２６ｃにより固定されるので、リード２２ａが遊ぶことがなくなる。その結果、液晶表示装置の組立中に他の部品に引っかかることが防止されるため、液晶表示装置の組立効率が良好となる。
【００４０】
前記一方の長辺部分に対向する長辺部分は、図５に示すように、導光板２１の薄肉な他の端面２１ａが枠体３０の長辺３０ａの第１載置面３１ａ上に載置されている。液晶セル１０の側部は、この導光板２１の他の端面２１ａ近傍の表面に、その上下面に粘着材５２ａが塗布された所定の肉厚を有する板状の基材５１ａからなる第１スペーサ５０ａを介し載置されている。そして各部材が実質的にコ字状のカバー４０ａにより一体に固定されている。
【００４１】
また、液晶表示装置１の一方の短辺部分は図６に示すように、照明手段２０の反射板２３が枠体３０の短辺３０ｄの第１載置面３１ｄ上に載置されている。更に、液晶セル１０の側部は、この枠体３０の短辺３０ｄ上の第２載置面３２ｄに載置されている。このとき、前記液晶セル１０の側部と短辺３０ｄの第２載置面３２ｄとの間には、薄肉の粘着フィルムからなる、所定の幅を有し短辺３０ｄの長手方向の両端部に渡って貼付された第２スペーサ５０ｄが設けられている。この第２スペーサ５０ｄにより前記液晶セル１０の側部と短辺３０ｄの第２載置面３２ｄとが貼付固定されている。そして各部材が実質的にＬ字状のカバー４０ｄにより一体に固定されている。
【００４２】
なお、この実質的にＬ字状のカバー４０ｄは枠体３０の短辺３０ｄが高さ方向に対して比較的長く形成されているためにＬ字状とし、その一方の側端部を短辺３０ｄの側壁面に粘着材４２ｄによって固定したものであって、カバー４０ｄの形状はこのような形状に限定されることなく、例えば４辺とも実質的にコ字状として枠片３０の底面に貼付固定されるようにしてももちろん良い。
【００４３】
前記一方の短辺部分に対向する短辺部分は図７に示すように、照明手段２０の反射板２３が枠体３０の短辺３０ｂの第１載置面３１ｂ上に載置されており、更に液晶セル１０の側部はこの枠体３０の短辺３０ｂ上の第２載置面３２ｂに載置されている。このとき、前記液晶セル１０の側部と短辺３０ｂの第２載置面３２ｂとの間には、薄肉の粘着フィルムからなる、所定の幅を有し短辺３０ｂの長手方向の両端部に渡って貼付された第２スペーサ５０ｂが設けられている。この第２スペーサ５０ｂにより、前記液晶セル１０の側部と、短辺３０ｂの第２載置面３２ｂとが貼付固定されている。
【００４４】
また、液晶セル１０の一方のガラス基板１３ｂに接続されたＴＣＰ１１が枠体３０の短辺３０ｂの裏面方向へ引き回されて、その端部がこの短辺３０ｂの裏面に貼付固定されている。そして各部材が実質的にコ字状のカバー４０ｂにより一体に固定されている。
【００４５】
上記構成の特徴をまとめる。第１に、液晶セル１０と、液晶セル１０の下方に配置されかつ、導光板２１、反射板２及び光源２２等からなる照明手段２０と、液晶セル１０及び照明手段２０を支持する額縁状の枠体３０とを備える。液晶セル１０の一つの辺の外縁部及びそれに対向する辺の外縁部と照明手段２０との間に、第１の粘着材を有する第１スペーサ５０ａ，５０ｃを設ける。液晶セル１０の他の一つの辺の外縁部及びそれに対向する辺の外縁部と前記枠体との間に、第２の粘着材からなる第２スペーサ５０ｂ，５０ｄを設ける。これらの外縁部を一体に覆うように、外縁部の各辺に非金属製のカバー４０ａ，４０ｂ，４０ｃ，４０ｄを取り付ける。
【００４６】
第２の特徴として、導光板２１の１端面２１ｃの近傍に位置する光源２２を覆い、かつ上辺の端部が導光板２１上に配置されたリフレクタ２５を設ける。第１スペーサ５０ｃ，５０ａは、板状の基材及びその表裏面に設けられた粘着材からなる。１方の第１スペーサ５０ｃは、リフレクタ２５の端部上に配置される（図４参照）。他方の第１スペーサ５０ａは、１端面２１ｃに対向する導光板２１の他の端面２１ａの近傍の表面上に配置された（図５参照）。
【００４７】
第３の特徴として、前記第２スペーサ５０ｂ，５０ｄは、各々板状の粘着材からなる（図１、図６、図７を参照）。
【００４８】
上述のように、本発明の一実施例に係る液晶表示装置においては、その構成部材として従来用いられていた金属フレーム及び裏板を用いることなく液晶表示装置を製造することができるので、装置自体の軽量化及び低コスト化を実現できる。加えて、カバーとして液晶表示装置の各側部を覆う実質的にコ字状あるいはＬ字状に形成することにより、重量の重い材料の使用をより少なくでき、もって装置自体の軽量化を実現している。
【００４９】
また、液晶セルと枠体あるいは照明手段との間に第１、第２スペーサを設けることにより、このスペーサが各部材間の緩衝材の役目をも果たすようになり、液晶セルのガラス基板の破損を抑止することができる。その結果、ガラスの厚さを従来例えば０．６ｍｍ程度であったとすれば、本発明においては０．３ｍｍ程度まで薄くすることができ、以って液晶表示装置をより軽量化できる。
【図面の簡単な説明】
【００５０】
【図１】本発明の一実施形態に係る液晶表示装置の分解斜視図である。
【図２】図１の液晶表示装置を組み立てた組立斜視図である。
【図３】図２の液晶表示装置の正面図である。
【図４】図３のＡ−Ａ断面図である。
【図５】図３のＢ−Ｂ断面図である。
【図６】図３のＣ−Ｃ断面図である。
【図７】図３のＤ−Ｄ断面図である。
【符号の説明】
【００５１】
１  液晶表示装置
１０  液晶セル
１１  ＴＣＰ
１２  制御基板
２０  照明手段（バックライトユニット）
２１  導光板
２２  光源
２３  反射板
２４  絶縁板
２５  リフレクタ
２７  光学シート
３０  枠体
３０ａ、３０ｃ  長辺
３０ｂ、３０ｄ  短辺
４０ａ〜４０Ｄ  カバー
５０ａ、５０ｃ  第１スペーサ
５０ｂ、５０ｄ  第２スペーサ
【図１】
2006235155.tif 000003
【図２】
2006235155.tif 000004
【図３】
2006235155.tif 000005
【図４】
2006235155.tif 000006
【図５】
2006235155.tif 000007
【図６】
2006235155.tif 000008
【図７】
2006235155.tif 000009